(57)【要約】【課題】画像読取装置本体の設置スペースの拡大を抑制することができる。【解決手段】読取媒体を載置するコンタクトガラス２１等の載置台と、該載置台に載置された前記読取媒体を、該載置台を透過して下方から光学的に読み取る下向き原稿読取ユニット２０等の読取部と、載置台に載置された読取媒体を載置台上に押える回動可能な原稿押え圧板２２等の押え部材と、該押え部材を閉じた状態の該押え部材の上面に載置された読取媒体を上方から撮像する撮像部１２５と、該撮像部を固定する支柱部とを備える画像読取装置において、支柱部は、画像読取装置本体の上面であって、押え部材とは異なる箇所に設けられている。【選択図】図１
2017175594.tif 000002
【特許請求の範囲】
【請求項１】
読取媒体を載置する載置台と、該載置台に載置された前記読取媒体を、該載置台を透過して下方から光学的に読み取る読取部と、前記載置台に載置された前記読取媒体を前記載置台上に押える回動可能な押え部材と、閉じた状態の該押え部材の上面に載置された前記読取媒体を上方から撮像する撮像部と、該撮像部を固定する支柱部とを備える画像読取装置において、
前記支柱部は、画像読取装置本体の上面であって、前記押え部材とは異なる箇所に設けられていることを特徴とする画像読取装置。
【請求項２】
装置本体と、
前記装置本体に設けられ、読取媒体を載置する第一の載置台と、
前記第一の載置台に載置された前記読取媒体を光学的に読み取る読取部と、
前記第一の載置台の上に設置され、該第一の載置台に対して回動可能であり、前記読取媒体を載置する第二の載置台が形成された載置板と、前記読取媒体を載置する第三の載置台と、該第三の載置台に載置された前記読取媒体を前記読取部へ搬送する搬送部と、該搬送部から排出された前記読取媒体を載置する排出台とを有する搬送ユニットと、
前記第二の載置台に載置された前記読取媒体を上方から撮像する撮像部と、
該撮像部を固定する支柱部とを備え、
前記搬送ユニットは、前記載置板の上に設置され、該載置板に対して回動可能であり、
前記支柱部は、前記装置本体の上面であって、前記載置板及び前記搬送ユニットとは異なる箇所に設けられていることを特徴とする画像読取装置。
【請求項３】
請求項１記載の画像読取装置において、
前記支柱部は、前記画像読取装置本体の奥側に設けられた前記押え部材の開閉のための軸回動部よりも前記画像読取装置本体の手前側に設けられていることを特徴とする画像読取装置。
【請求項４】
請求項１〜３のいずれか１項に記載の画像読取装置において、
前記支柱部は、前記画像読取装置本体の垂直投影部分内におさまるよう設けられていることを特徴とする画像読取装置。
【請求項５】
請求項１〜４いずれか１項に記載の画像読取装置において、
前記支柱部は、前記撮像部と電気的に接続された表示部を備えることを特徴とする画像読取装置。
【請求項６】
請求項５記載の画像読取装置において、
前記表示部は、前記支柱部の前面であって、前記撮像部が固定された上端側に対して反対側の下端側に設けられていることを特徴とする画像読取装置。
【請求項７】
請求項５又は６に記載の画像読取装置において、
前記表示部の画面は、該画面の正面上方側に向くように傾斜していることを特徴とする画像読取装置。
【請求項８】
請求項１〜７いずれか１項に記載の画像読取装置において、
前記撮像部が固定されている前記支柱部の一部は、前記画像読取装置本体の手前方向に曲がっていることを特徴とする画像読取装置。
【請求項９】
請求項１〜８のいずれか１項に記載の画像読取装置において、
前記支柱部の一部の上面は、水平面に対し傾斜していることを特徴とする画像読取装置。
【請求項１０】
請求項１〜９のいずれか１項に記載の画像読取装置において、
前記押え部材は、当該押え部材の上面に載置された前記読取媒体の位置合わせを行う位置合わせ部を備えていることを特徴とする画像読取装置。
【請求項１１】
請求項２に記載の画像読取装置において、
前記搬送ユニットが前記載置板に対して連結するための連結機構を備えていることを特徴とする画像読取装置。
【請求項１２】
請求項１１記載の画像読取装置において、
前記搬送ユニットと前記載置板とが個別に開閉可能であることを特徴とする画像読取装置。
【請求項１３】
請求項１１又は１２に記載の画像読取装置において、
前記搬送ユニットと前記載置板の回動軸が同じであることを特徴とする画像読取装置。
【請求項１４】
請求項１１〜１３のいずれか１項に記載の画像読取装置において、
前記搬送ユニットと前記載置板の少なくとも一方を掴む取っ手を備えることを特徴とする画像読取装置。
【請求項１５】
請求項１１〜１４のいずれか１項に記載の画像読取装置において、
前記連結機構による連結を解除する解除レバーが、前記取っ手を形成する凹部内に設けられていることを特徴とする画像読取装置。
【請求項１６】
読取媒体を載置する載置台と、該載置台に載置された前記読取媒体を、該載置台を透過して下方から光学的に読み取る読取部と、記録媒体に画像を形成する画像形成部と、前記載置台に載置された前記読取媒体を前記載置台上に押える回動可能な押え部材と、閉じた状態の該押え部材の上面に載置された前記読取媒体を上方から撮像する撮像部と、該撮像部を固定する支柱部とを備え画像形成装置において、
前記支柱部は、画像形成装置本体の上面であって、前記押え部材とは異なる箇所に設けられていることを特徴とする画像形成装置。
【請求項１７】
装置本体と、
前記装置本体に設けられ、読取媒体を載置する第一の載置台と、
前記第一の載置台に載置された前記読取媒体を光学的に読み取る読取部と、
前記第一の載置台の上に設置され、該第一の載置台に対して回動可能であり、前記読取媒体を載置する第二の載置台が形成された載置板と、前記読取媒体を載置する第三の載置台と、該第三の載置台に載置された前記読取媒体を前記読取部へ搬送する搬送部と、該搬送部から排出された前記読取媒体を載置する排出台とを有する搬送ユニットと、
前記第二の載置台に載置された前記読取媒体を上方から撮像する撮像部と、
該撮像部を固定する支柱部と、
記録媒体に画像を形成する画像形成部とを備え、
前記搬送ユニットは、前記載置板の上に設置され、該載置板に対して回動可能であり、
前記支柱部は、前記装置本体の上面であって、前記載置板及び前記搬送ユニットとは異なる箇所に設けられていることを特徴とする画像読取装置。
【発明の詳細な説明】
【技術分野】
【０００１】
本発明は、画像読取装置及び画像形成装置に関するものである。
【背景技術】
【０００２】
従来、載置台に載置された読取媒体たる原稿を読取部によって載置台を透過して下方から光学的に読み取れ、撮像部によって原稿を上方からも撮像できる画像読取装置が知られている。
【０００３】
例えば、特許文献１には、係る画像読取装置であって、原稿を載置台たる透明なフラットベッドプラテンの上面に押え、奥側にある軸部を中心とする軸回動によって開閉可能な押え部材たる原稿押えカバーを備える画像読取装置が開示されている。その画像読取装置では、上記撮像部はその原稿押えカバーの奥側の中央部に立設した支柱部たる支持バーに設けられている。その支持バーは根元部分から上方へ所定の高さまで延び、さらに画像読取装置本体の手前側に延びている。その手前側に延びている部分に撮像部が設けられている。
【０００４】
そして、原稿を下向きにして読み取る場合は、原稿押えカバーを上方に開いて原稿の被読取面を下向きにしてフラットベッドプラテンの上面にセットし、その後原稿押えカバーを閉じる。読取部によって、フラットベッドプラテンを透過して原稿の被読取面を光学的に読み取る。一方、原稿を上向きにして撮像する場合は、原稿押えカバーを閉じ、原稿押えカバー上面にあらわれる載置スペースに原稿の被撮像面を上向きにしてセットする。撮像部によって原稿の被撮像面を上方から撮像している。
【発明の概要】
【発明が解決しようとする課題】
【０００５】
上記特許文献１に開示の画像読取装置によれば、原稿押えカバーを上方に開くように軸回動させると、支持バーの根元部分から上方へ延びている部分が画像読取装置本体の後方へ突出する。そのため、その突出するスペースを確保する必要があり、画像読取装置本体の設置スペースが拡大しまうという問題点があった。
【課題を解決するための手段】
【０００６】
上述した課題を解決するために、本発明は、読取媒体を載置する載置台と、該載置台に載置された前記読取媒体を、該載置台を透過して下方から光学的に読み取る読取部と、前記載置台に載置された前記読取媒体を前記載置台上に押える回動可能な押え部材と、閉じた状態の該押え部材の上面に載置された前記読取媒体を上方から撮像する撮像部と、該撮像部を固定する支柱部とを備える画像読取装置において、前記支柱部は、画像読取装置本体の上面であって、前記押え部材とは異なる箇所に設けられていることを特徴とするものである。
【発明の効果】
【０００７】
本発明によれば、画像読取装置本体の設置スペースの拡大を抑制することができるという特有の効果が得られる。
【図面の簡単な説明】
【０００８】
【図１】本実施形態の複合機の概略構成図。
【図２】本実施形態に係る複合機における原稿押え圧板を閉じた状態の全体斜視図。
【図３】実施例１の原稿押え圧板を上方に開いた状態の複合機の全体斜視図。
【図４】実施例２の原稿押え圧板を閉じた状態の全体斜視図。
【図５】実施例２の原稿押え圧板を上方に開いた状態の全体斜視図。
【図６】実施例３の原稿押え圧板を閉じた状態の全体斜視図。
【図７】実施例３の原稿押え圧板を上方に開いた状態の全体斜視図。
【図８】実施例３において支柱部１２１と締結部１２２とを一体化したものを装置本体から取り外したときの複合機後方からみた部分斜視図。
【図９】実施例３において支柱部１２１と締結部１２２とを一体化したものを複合機本体に取り付けたときの複合機後方からみた部分斜視図。
【図１０】実施例３において各部品の取付状態毎の部分斜視図。
【図１１】実施例３において原稿押え圧板２２と支柱部１２１と締結部１２２とを一体化したものを複合機本体から取り外したときの複合機後方からみた部分斜視図。
【図１２】実施例３において原稿押え圧板２２と支柱部１２１と締結部１２２とを一体化したものを複合機本体に取り付けたときの複合機後方からみた部分斜視図。
【図１３】支柱部の内部と配線部とを示す模式図。
【図１４】実施例３の原稿押え圧板２２と支柱部１２１と締結部１２２とを一体化したものを裏面からみた部分斜視図。
【図１５】実施例４の画像読取装置の一部の構成を説明する部分斜視図。
【図１６】実施例４において支柱部１２１と締結部１２２とを一体化したものを装置本体から取り外したときの複合機後方からみた部分斜視図。
【図１７】実施例４において支柱部１２１と締結部１２２とを一体化したものを複合機本体に取り付けたときの複合機後方からみた部分斜視図。
【図１８】（ａ）は、自動原稿搬送ユニット３００を下方から見たときの開閉モジュールの構成を説明する斜視図、（ｂ）は（ａ）の点線で囲んだ部分の拡大図。
【図１９】実施例４の自動搬送ユニット３００を上方に開いた状態の全体斜視図。
【図２０】実施例４の自動搬送ユニット３００を上方に開いた状態の部分斜視図。
【図２１】実施例４の自動搬送ユニット３００と上向き原稿載置板３０３とを上方に開いた状態の部分斜視図。
【図２２】自動原稿搬送ユニット３００と上向き原稿載置板３０３との構成を説明する部分断面図。
【図２３】変形例の原稿押え圧板を閉じた状態の全体斜視図。
【発明を実施するための形態】
【０００９】
以下、本発明を、電子写真方式の画像形成部を備えた画像読取装置（以下、単に「複合機」という。）１００に適用した一実施形態について説明する。
図１は、本実施形態の複合機の概略構成図である。図２は、本実施形態に係る複合機における原稿押え圧板を閉じた状態の全体斜視図である。図３は、原稿押え圧板を上方に開いた状態の複合機の全体斜視図である。なお、Ｙ、Ｍ、Ｃ、Ｋは、それぞれ、イエロー、マゼンタ、シアン、黒の色用の部材であることを示すものである。
【００１０】
図１に示すように、画像形成ユニット１０は、像担持体１１と、像担持体１１の表面を帯電させる帯電装置１２と、像担持体１１の表面に形成された潜像を各色トナーで可視化する現像装置１３と、トナー像転写後の像担持体１１の表面に残留するトナーを回収するクリーニング装置１４と、像担持体１１の表面を保護するため潤滑剤を塗布する潤滑剤塗布装置１５とが、像担持体１１の周りにそれぞれ着脱可能に配置されている。また、各画像形成ユニットは、複合機本体から着脱可能な構成となっている。
【００１１】
図１に示すように、画像形成部の上方には、潜像形成部としての露光装置１６が設けられている。また、複合機１００の上部には、透明な載置台たるコンタクトガラス２１上に載置された読取媒体たる原稿を下方から走査して読み取る読取部たる下向き原稿読取ユニット（読取ユニット）２０が設けられている。その下向き原稿読取ユニット２０は、読取媒体として用紙等の薄い原稿を読み取る。さらに、下向き原稿読取ユニット２０の上部には、読取媒体（被撮像物）である原稿を上方から撮像する上向き原稿読取ユニット（撮像ユニット）１２０が設けられている。その上向き原稿読取ユニット１２０は、読取媒体として厚みのある物（書籍、立体物）を読み取る。画像読取装置２００は、下向き原稿読取ユニット２０と上向き原稿読取ユニット１２０とから構成される。また、画像形成部の下方には、中間転写体としての中間転写ベルト３１を備えた転写ユニット３０が設けられている。中間転写ベルト３１は、複数の支持ローラに掛け渡されており、図１中の矢印Ａ方向に移動する。
【００１２】
図１に示すように、転写ユニット３０の下方には２次転写装置４０が設けられている。２次転写装置４０は、２次転写ローラ４１を備えている。２次転写ローラ４１は、中間転写ベルト３１における転写対向ローラ４２に対する掛け回し箇所にベルトおもて面から当接して２次転写ニップを形成している。２次転写ローラ４１には２次転写高圧電源によって２次転写バイアスが印加されている。また、転写対向ローラ４２は、電気的に接地されている。これにより、２次転写ニップ内に２次転写電界が形成されている。
【００１３】
２次転写装置４０の図１中の左方には、用紙上に転写されたトナー像を定着するために、内部に発熱体を備えた加熱ローラを有する定着ユニット５０が設けられている。また、２次転写装置４０と定着ユニット５０との間には、トナー像転写後の用紙を定着ユニット５０へと搬送する搬送ベルト６０が設けられている。
【００１４】
また、複合機１００の下方には、給紙収容部から１枚ずつ分離して給送された用紙を２次転写装置４０へ給紙する給紙ユニット７０が設けられている。更に、定着ユニット５０を通過した用紙を機外または両面ユニット８０へ搬送する排紙ユニット９０が設けられている。
【００１５】
複合機１００の上方には、原稿のコピーがとられるとき、例えばシート原稿の束が原稿自動搬送装置の原稿台上セットされる。
【００１６】
ただし、その原稿が本状に閉じられている片綴じ原稿である場合には、コンタクトガラス２１上にセットされる。このセットに先立ち、複合機本体に対して押え部たる原稿押え圧板２２を軸回動させて上方へ開き、コンタクトガラス２１を露出させる。その後、原稿押え圧板２２を閉じることによって片綴じ原稿をコンタクトガラス２１上に押える。
【００１７】
このようにして原稿がセットされた後、複合機１００の前面に設けられた操作パネル１３０のコピースタートスイッチが押下されると、下向き原稿読取ユニット２０による原稿読取動作がスタートする。
【００１８】
ただし、自動原稿搬送装置にシート原稿がセットされた場合には、この原稿読取動作に先立って、自動原稿搬送装置がシート状の原稿をコンタクトガラス２１まで自動移動させる。
【００１９】
原稿読取動作では、まず、第一走行体２３と第二走行体２４とがともに走行を開始し、第一走行体２３に設けられた光源から光が発射される。そして、原稿面からの反射光が第一走行体２３のミラーで反射され第二走行体２４内に設けられたミラーによって反射せしめられ、結像レンズ２５を通過した後、読取センサ２６に入射される。読取センサ２６は、入射光に基づいて画像情報を構築する。
【００２０】
このような原稿読取動作と並行して、各画像形成ユニット１０Ｙ，Ｍ，Ｃ，Ｋ内の各機器や、転写ユニット３０、２次転写装置４０、定着ユニット５０がそれぞれ駆動を開始する。
【００２１】
そして、読取センサ２６によって構築された画像情報に基づいて、露光装置１６が駆動制御されて、各像担持体１１Ｙ，Ｍ，Ｃ，Ｋ上に、Ｙ，Ｍ，Ｃ，Ｋトナー像が形成される。これらトナー像は、中間転写ベルト３１上に重ね合わせ転写された４色トナー像となる。
【００２２】
この複合機１００でコピーをとるときは、下向き原稿読取ユニット２０によりコンタクトガラス２１上に載置された原稿を読み取る。この原稿読み取りに並行して、中間転写ベルト３１が図１中の矢印Ａ方向に移動する。これと同時に、画像形成部では、各帯電装置１２Ｙ、Ｍ、Ｃ、Ｋによって表面が帯電せしめられた各像担持体１１Ｙ、Ｍ、Ｃ、Ｋ上に、読み取った原稿内容に基づきイエロー、マゼンタ、シアン、黒の色別情報を用いて露光装置１６によりそれぞれ露光して静電潜像を形成する。その静電潜像は、イエロー、マゼンタ、シアン、ブラックのトナーが充填されたトナーボトルから所定の補給量だけ補給された現像装置１３によってトナー像に可視化現像され、１次転写装置１７によって中間転写ベルト３１上に転写される。
【００２３】
そして、像担持体１１上に残留した転写後のトナーはクリーニング装置１４により回収され、その回収されたトナーはクリーニング装置内の搬送経路を通って本体設置のトナー回収容器に搬送されていく。クリーニング装置１４により残留したトナーを回収されたのち、潤滑剤塗布装置１５により像担持体１１の表面に潤滑剤が塗布され、表面の保護層が形成される。
【００２４】
次いで、各像担持体１１Ｙ、Ｍ、Ｃ、Ｋ上の静電潜像を現像装置１４Ｙ、Ｍ、Ｃ、Ｋにより現像し、単色のトナー像を形成する。そして、各像担持体１１Ｙ、Ｍ、Ｃ、Ｋ上のトナー像を中間転写ベルト３１上に互いに重なり合うように順次転写して、中間転写ベルト３１上に合成トナー像を形成する。
【００２５】
このようなトナー像形成動作に並行して、給紙収容部から１枚ずつ用紙を繰り出し、給紙ユニット７０のレジストローラ対７１のニップに突き当てて止める。そして、中間転写ベルト３１上の合成トナー像の形成にタイミングを合わせてレジストローラ対７１を回転させ、中間転写ベルト３１と２次転写装置４０との間に用紙を送り込み、２次転写装置４０で用紙上にトナー像を２次転写する。
【００２６】
そして、トナー像転写後の用紙は、搬送ベルト６０で搬送して定着ユニット５０へと送り込み、定着ユニット５０で熱と圧力とを加えてトナー像を定着した後、排紙ユニット９０へ送り込む。排紙ユニット９０では切換爪で切換えて、機外（複合機１００の図１中左側）の排紙トレイまたは下方の両面ユニット８０へ案内する。両面ユニット８０では、用紙を反転して再び２次転写位置（２次転写装置４０と中間転写ベルト３１との２次転写ニップ位置）へと導き、裏面にも画像を記録して後、排紙ユニット９０で排紙トレイ上に排出する。なお、画像転写後の中間転写ベルト３１は、中間転写ベルトクリーニングユニット１１０で、中間転写ベルト３１上に残留する残留トナーを除去し、再度の画像形成に備える。
【００２７】
次に、本発明の特徴部分である画像読取装置について説明する。
（実施例１）
上記実施形態の一実施例（以下、本実施例を「実施例１」という。）について説明する。
実施例１では、図１、図２及び図３に示すように、上向き原稿読取ユニット１２０を備え、その上向き原稿読取ユニット１２０は支柱部材たる支柱部１２１と締結部１２２とヒンジ部１２３と後述する配線部１２４と撮像部１２５とで構成される。締結部１２２は、取付け板１２２ａとその取付け板１１２ａを装置本体１に着脱可能に固定するネジ１２２ｂとで構成される。撮像部１２５は、ＣＣＤ（Charge Coupled Devices）を有するイメージセンサや撮像カメラ等のカメラ１２５ａとそのカメラ１２５ａが取り付けられるカメラカバー部１２５ｂとで構成される。複合機１００の画像形成部の上部に、オプションとして任意追加も可能な上向き原稿読取ユニット１２０を装着する場合、図３に示すように、締結部１２２とヒンジ部１２３と原稿押え圧板２２とからなる圧板ユニットを装置本体１の上方または上面後方へ着脱可能に固定する構成とは異なり、原稿押え圧板２２とヒンジ部１２３とからなる圧板ユニットを別体の締結部１２２によって装置本体１の上方または上面後方へ着脱可能に固定する。なお、カメラカバー部１２５ｂは支柱部１２１に固定され、そのカメラカバー部１２５ｂには、撮像部１２５以外にもＬＥＤ等の光源（照明）を備えていてもよい。
【００２８】
また、ケーブル等の配線部１２４によって操作パネル１３０の操作パネル制御基板とカメラ１２５ａのカメラ制御基板とを接続することで、操作パネル１３０やフットＳＷなどを用いた制御が可能となる。さらに、原稿押え圧板２２の上面は、上向き原稿をセットする原稿載置台１２６として用いられている。その原稿載置台１２６には、カメラ１２５ａの撮像領域を示す外枠と、その撮像領域の中心位置を示す十字とが線で表示されている原稿位置合わせ部１２７が設けられている。その原稿位置合わせ部１２７は、直印刷、デカル、型彫り、上方から照射、あるいは下方から発光のいずれかの方法で表示される。その表示により、原稿の位置が撮影範囲を外れていることや原稿が傾いていることの目安となり、原稿読取での不具合を事前に防ぐことができる。
【００２９】
そして、上向き原稿の読取は、原稿押え圧板２２を閉じた状態で、原稿押え圧板２２の上面の原稿載置台１２６に、原稿の読取り面（撮像面）側を上向きにセットする。操作パネル１３０などの読取キーを押すと、撮影方向が下向きとなるように配置されたカメラ１２５ａによって上向き原稿が撮像される。下向き原稿の読取は、上述したように、原稿押え圧板２２を開き、下向き原稿読取ユニット２０の上面に配置されたコンタクトガラス２１へ原稿を下向きでセットし、原稿押え圧板２２を閉じ、操作パネル１３０などの読取キーを押すと、下向き原稿がスキャンされて読み取られる。
【００３０】
図２及び図３に示すように、ヒンジ部１２３は原稿押え圧板２２よりも装置本体１の幅方向の長さ（複合機本体の前方からみたときの左右幅）が短く、その幅方向の中央に配置されている。そして、幅方向でヒンジ部１２３を挟むように、左右に分かれる支柱部１２１を設置している。これにより、原稿押え圧板２２を上向き原稿読取ユニット１２０よりも前寄りへ配置可能となる。ここで、支柱部１２１を原稿押え圧板２２上に配置するのではなく、装置本体１の上面に配置しているので、原稿押え圧板２２が回動しても、図３のように支柱部１２１は複合機本体の後方に移動はしない。それにより、複合機本体の後方に設置スペースを拡大することを抑制できる。また、従来のように支柱部１２１が原稿押え圧板２２上に配置された構成に比べて原稿押え圧板２２が軽くなり、原稿押え圧板２２を開閉操作する力が少なくてすむ。さらには、原稿押え圧板２２の開閉操作に伴う画像ブレの要因となる支柱部１２１の揺れや歪みがなくなる。それにより、上向き原稿を撮像する場合のカメラ１２５ａの揺れを低減でき、その揺れがおさまるまで撮像動作を開始できなかった従来の構成に比べて撮像動作をすみやかに行うことができる。
【００３１】
（実施例２）
次に、上記実施形態の他の実施例（以下、本実施例を「実施例２」という。）について説明する。
図４は、実施例２の原稿押え圧板を閉じた状態の全体斜視図である。図５は、実施例２の原稿押え圧板を上方に開いた状態の全体斜視図である。
図４及び図５に示すように、実施例２では、コンタクトガラス２１と原稿押え圧板２２との複合機本体の前方からみたときの左右幅が複合機本体の全幅よりも小さい場合、コンタクトガラス２１や原稿押え圧板２２を挟むように左右に分かれる支柱部１２１を設置し、支柱部１２１をつなぐ梁部の中央部に撮像部１２５を設けている。実施例２の構成でも、支柱部１２１を原稿押え圧板２２上に配置するのではなく、装置本体１の上面に配置しているので、原稿押え圧板２２が回動しても、図５のように支柱部１２１は複合機本体の後方に移動はしない。これにより、実施例１と同様に、複合機本体の後方に設置スペースを拡大することを抑制できる。さらに、コンタクトガラス２１や原稿押え圧板２２を挟むように支柱部１２１を設置しているので、実施例１の構成に比べて、上向き原稿読取ユニット１２０を前寄りへ配置可能となる。
【００３２】
また、実施例２は、２つの支柱部１２１で撮像部１２５を固定する梁部を挟む構造である。それにより、撮像部１２５の支持剛性を向上できるだけでなく、撮像部１２５を前方に突出する量を減らせる。よって、例えば操作者が原稿載置台１２６に原稿を上向きでセットするとき原稿を支柱部１２１に接触させたとしても、前方へ突出する片持ち構造の実施例１に比べて支柱部１２１の揺れや歪みが低減でき、上向き原稿を撮像する場合のカメラのブレを低減できる。
【００３３】
（実施例３）
次に、上記実施形態のさらに他の実施例（以下、本実施例を「実施例３」という。）について説明する。
図６は、実施例３の原稿押え圧板を閉じた状態の全体斜視図である。図７は、実施例３の原稿押え圧板を上方に開いた状態の全体斜視図である。
【００３４】
図６及び図７に示すように、実施例３では、コンタクトガラス２１の後端面から複合機本体の後端面までの複合機本体の上面スペースが大きい場合、その上面スペースに支柱部１２１を取り外し可能に設置している。つまり、支柱部１２１は、原稿押え圧板２２のヒンジ部１２３の設置箇所よりも後方の箇所の装置本体１の上面に設置している。ここで、実施例３では、実施例１、２の支柱部１２１よりも太い１本の鉛直方向に延びている支柱部１２１を用い、カメラカバー部１２５ｂはその支柱部１２１から前方方向に延びて設けられている。また、詳細は後述するモニタ（画面）１３４を支柱部１２１の前面の一部に設けられている。実施例３の構成でも、支柱部１２１を原稿押え圧板２２上に配置するのではなく、装置本体１の上面に配置しているので、原稿押え圧板２２が回動しても、図７のように支柱部１２１は複合機本体の後方に移動はしない。これにより、複合機本体の後方に設置スペースを拡大することを抑制できる。
【００３５】
図８〜図１０に示すように、実施例３において、支柱部１２１と締結部１２２とが一体化したものを装置本体１に着脱可能とすることも可能である。図８は、実施例３において支柱部１２１と締結部１２２とを一体化したものを複合機本体から取り外したときの複合機後方からみた部分斜視図である。図９は、実施例３において支柱部１２１と締結部１２２とを一体化したものを複合機本体に取り付けたときの複合機後方からみた部分斜視図である。図１０（ａ）は、複合機本体に対し支柱部１２１と締結部１２２とを一体化したものを取り外したときの複合機本体のみの部分斜視図、図１０（ｂ）は複合機本体に原稿押え圧板２２を取り付けたときの部分斜視図、図１０（ｃ）は複合機本体に原稿押え圧板２２を取り付けたときのヒンジ部を見せるために原稿押え圧板２２を示していないときの部分斜視図、図１０（ｄ）は複合機本体に支柱部１２１と締結部１２２とが一体化したものと原稿押え圧板２２とを取り付けたときの部分斜視図、図１０（ｅ）は複合機本体に支柱部１２１と締結部１２２とが一体化したものと原稿押え圧板２２とを取り付けたときの複合機の上面を見せるために原稿押え圧板２２を示していないときの部分斜視図である。
【００３６】
図８、図９及び図１０に示すように、上向き原稿読取ユニット１２０は、支柱部１２１と締結部１２２とが一体化されて１つのユニットとして構成され、原稿押え圧板２２に対し独立している。さらに、上向き原稿読取ユニット１２０は、締結部１２２の取付け板１２２ａをネジ１２２ｂによって装置本体１側の被締結部１４１にネジ止めすることで装置本体１の上面へ着脱可能に固定される。よって、上向き原稿読取ユニット１２０を設けないで使用している複合機に対し、上向き原稿読取ユニット１２０をオプションとして後から追加することができる。なお、装置本体１の後面に設けられた挿入部１２８から配線部１２４のケーブルを挿入することで、操作パネル１３０の操作パネル制御基板とカメラのカメラ制御基板とを接続することができる。また、上向き原稿読取ユニット１２０を取り付けない場合には、挿入部１２８からの異物混入を防ぐために、挿入部１２８には着脱可能なカバーをつけておいてもよい。図１０（ａ）に示す状態の装置本体１に対して、図１０（ｂ）、（ｃ）に示すように、ヒンジ部１２３を備える締結部１４０の取付け板１４０ｂをネジ１４０ａによって装置本体１の被締結部１４１に固定して、原稿押え圧板２２を取り付ける。そして、図１０（ｄ）、（ｅ）に示すように、原稿押え圧板２２の締結部１４０に対して、上向き原稿読取ユニット１２０の締結部１２２の取付け板１２２ａをネジ１２２ｂによって固定して、上向き原稿読取ユニット１２０を装置本体１に取り付ける。また、原稿押え圧板２２とヒンジ部１２３とは容易に分離可能にすることができる。それにより、原稿押え圧板２２又はヒンジ部１２３の少なくともいずれか一方が破損しても個別に交換することができる。なお、ネジ締結によって締結部１２２と締結部１４０とを分割可能に一体化してもよく、締結部１２２と締結部１４０とを一体で形成（一体成型）してもよい。
【００３７】
また、図１１〜図１４に示すように、実施例３において、原稿押え圧板２２と支柱部１２１と締結部１２２とが一体化したものを装置本体１に着脱可能とすることも可能である。図１１は、実施例３において原稿押え圧板２２と支柱部１２１と締結部１２２とを一体化したものを複合機本体から取り外したときの複合機後方からみた部分斜視図である。図１２は、実施例３において原稿押え圧板２２と支柱部１２１と締結部１２２とを一体化したものを複合機本体に取り付けたときの複合機後方からみた部分斜視図である。図１３は支柱部の内部と配線部とを示す模式図である。図１４は実施例３の原稿押え圧板２２と支柱部１２１と締結部１２２とを一体化したものを裏面からみた部分斜視図である。
【００３８】
図１１、図１２、図１３及び図１４に示すように、上向き原稿読取ユニット１２０は、原稿押え圧板２２と支柱部１２１と締結部１２２とが一体化されて構成され、複合機本体に対し独立している。その上向き原稿読取ユニット１２０は、締結部１２２と装置本体１側の被締結部１４１とによって、複合機本体の上面へ着脱可能に固定される。具体的には、取付け板１２２ａにヒンジ部が設けられ、ヒンジ部を介して原稿押え圧板２２がネジ１２２ｂによって装置本体１側の被締結部１４１に固定されている。上向き原稿読取ユニット１２０は、締結部１２２によって、装置本体１の上面へ着脱可能に固定される。また、締結部１２２の下方に取り付けられた接続プラグ１３２は、上向き原稿読取ユニット１２０を複合機本体に固定する過程で、挿入部１３１に差し込まれて操作パネル１３０の操作パネル制御基板とカメラ制御基板１３３とを接続することができる。
【００３９】
さらに、カメラ制御基板を支柱部１２１から前方に延びて撮像部１２５を固定する部分に設けると、その部分の重さが重くなって揺れや歪みを促進させてしまう。そこで、図１３に示すように、カメラ制御基板１３３を支柱部１２１の垂直部分の内部に取り付けることで、撮像部１２５が設けられている部分の重量増加を避け、その部分の揺れや歪みの発生を抑制できる。また、装置本体１に対し上向き原稿読取ユニット１２０を独立させることで、上向き原稿読取ユニット１２０を設けないで使用している複合機に対し、上向き原稿読取ユニット１２０をオプションとして後から追加することができる。
【００４０】
図８〜図１０の構成や図１１〜図１４の構成でも、支柱部１２１を原稿押え圧板２２上に配置するのではなく、装置本体１の上面に配置しているので、原稿押え圧板２２が回動しても、支柱部１２１は複合機本体の後方に移動はしない。これにより、複合機本体の後方に設置スペースを拡大することを抑制できる。
さらに、原稿押え圧板２２と支柱部１２１と締結部１２２とで予め上向き原稿読取ユニット１２０を構成してから装置本体１に取り付ける。これにより、原稿押え圧板２２と支柱部１２１と締結部１２２とを個別に装置本体１に取り付けるのに比べて、装置本体取付け作業の時間を短くすることができる。また、コストアップや重量増加の要因となる部品数を減らすことができる。
【００４１】
（実施例４）
次に、上記実施形態のさらに他の実施例（以下、本実施例を「実施例４」という。）について説明する。
【００４２】
図１５は、実施例４の画像読取装置の一部の構成を説明する部分斜視図である。図１６は、実施例４において支柱部１２１と締結部１２２とを一体化したものを装置本体から取り外したときの複合機後方からみた部分斜視図である。図１７は、実施例４において支柱部１２１と締結部１２２とを一体化したものを複合機本体に取り付けたときの複合機後方からみた部分斜視図である。
【００４３】
図１５に示すように、実施例４では、上向き原稿載置板３０３の上面に自動原稿搬送ユニット３００が設置されている。その自動原稿搬送ユニット３００は、原稿束をセットする原稿セット部３０１と、読取後の原稿が排紙される排紙トレイ３０２と、原稿を下向き原稿読取部へ搬送し、かつ読取後の原稿を排紙トレイ３０２に搬送する搬送ローラ等を自動原稿搬送ユニット本体の内部に備えた原稿搬送部とから構成されている。また、自動原稿搬送ユニット３００は、下向き原稿を上方から押さえる役目を担っている。さらに、実施例４においても、図１６及び図１７に示すように、支柱部１２１は、装置本体１の上面であって、自動原稿搬送ユニット３００や上向き原稿載置板３０３とは異なる箇所に設けられている。
【００４４】
実施例４において、上向き原稿読取ユニット１２０は、支柱部１２１と締結部１２２とが一体化されて１つのユニットとして構成されている。さらに、上向き原稿読取ユニット１２０は、締結部１２２の取付け板１２２ａをネジ１２２ｂによって装置本体１側にネジ止めすることで自動原稿搬送ユニット３００よりも後方側の装置本体１の上面に着脱可能に固定される。よって、上向き原稿読取ユニット１２０を設けないで使用している複合機に対し、上向き原稿読取ユニット１２０をオプションとして後から追加することができる。なお、装置本体１の後面に設けられた挿入部１２８から配線部１２４のケーブルを挿入することで、操作パネルの操作パネル制御基板とカメラのカメラ制御基板とを接続することができる。
【００４５】
さらに、支柱部１２１を装置本体１の上面に配置しているので、自動原稿搬送ユニット３００や上向き原稿載置板３０３が軸回動しても、支柱部１２１は複合機本体の後方に移動はしない。これにより、複合機本体の後方に設置スペースを拡大することを抑制できる。また、従来のように支柱部１２１が自動原稿搬送ユニット３００あるいは上向き原稿載置板３０３上に配置された構成に比べて自動原稿搬送ユニット３００や上向き原稿載置板３０３が軽くなり、自動原稿搬送ユニット３００や上向き原稿載置板３０３を開閉操作する力が少なくてすむ。さらには、自動原稿搬送ユニット３００や上向き原稿載置板３０３の開閉操作に伴う画像ブレの要因となる支柱部１２１の揺れや歪みがなくなる。それにより、上向き原稿を撮像する場合のカメラの揺れを低減でき、その揺れがおさまるまで撮像動作を開始できなかった従来の構成に比べて撮像動作をすみやかに行うことができる。
【００４６】
さらに、自動原稿搬送ユニット３００と上向き原稿載置板３０３とは、開閉の回転軸を同一としたヒンジ部で軸回動する。自動原稿搬送ユニット３００と上向き原稿載置板３０３の開閉に回転軸を個別に設ける構成に比べて部品点数やコストを削減することができる。さらに、開閉の回転軸が同じであれば、その開閉の回転軸を基準にして自動原稿搬送ユニット３００と上向き原稿載置板３０３のサイズ等を決めることで位置合わせ等の位置調整が容易に可能になる。ただし、開閉の回転軸が互いに異なるヒンジ部でもよい。後述する開閉モジュールによって、自動原稿搬送ユニット３００と上向き原稿載置板３０３とを一体に軸回動して開閉したり、自動原稿搬送ユニット３００を上向き原稿載置板３０３から分離して軸回動して開閉したりする。上向き原稿載置板３０３の上面には、上向き原稿を載置する原稿載置台が形成され、上向き原稿載置板３０３の内部には、後述するように原稿シートの搬送する搬送路が設けられている。上向き原稿読取ユニット１２０は、締結部１２２によって、装置本体１の上面へ着脱可能に固定される。なお、支柱部１２１の下端部には、切欠き溝１３６が設けられており、自動原稿搬送ユニット３００の配線部１２４を通すためのもので、配線の押し潰しを防ぐことができる。
【００４７】
図１８の（ａ）は、自動原稿搬送ユニット３００を下方から見たときの開閉モジュールの構成を説明する斜視図であり、（ｂ）は（ａ）の点線で囲んだ部分の拡大図である。図１９は、実施例４の自動原稿搬送ユニット３００を上方に開いた状態の全体斜視図である。図２０は、実施例４の自動原稿搬送ユニット３００を上方に開いた状態の部分斜視図である。図２１は、実施例４の自動原稿搬送ユニット３００と上向き原稿載置板３０３とを上方に開いた状態の部分斜視図である。
【００４８】
図１８（ａ）に示すように、開閉モジュール３１０は、自動原稿搬送ユニット３００や上向き原稿載置板３０３を開閉するためのモジュールである。その開閉モジュール３１０は、第１開閉取っ手３１１、第２開閉取っ手３１２、連結解除レバー３１３、回動軸３１４及びフック部３１５を含んで構成されている。図２０に示すように、自動原稿搬送ユニット３００の手前側の下面において、中央部には第２開閉取っ手３１２が設けられている。図１８に示すように、第２開閉取っ手３１２は、自動原稿搬送ユニット３００の下面に形成した凹部で構成され、凹部内に連結解除レバー３１３を備えている。その連結解除レバー３１３は、回動軸３１４の周面の一部に取り付けられており、連結解除レバー３１３の回動に伴い回動軸３１４は回動する。その回動軸３１４の両側端部の周面の一部には、フック部３１５がそれぞれ取り付けられており、回動軸３１４の回動に伴いフック部３１５も回動する。そのフック部３１５は、図１８（ｂ）中の実線で示すように、上向き原稿載置板３０３の上面に設けられた凹部３１６内に備わっている引っ掛け部に係合することで自動原稿搬送ユニット３００と上向き原稿載置板３０３とが連結する。なお、フック部３１５は、凹部３１６内の引っ掛け部に係合された状態になるように回動軸３１４の外周に巻かれている螺旋バネ等で付勢されている。
【００４９】
上向き原稿の読取を行う場合、使用者は、第１開閉取っ手３１１の奥側にある連結解除レバー３１３を掴みながら第２開閉取っ手３１２を持ち上げることにより、図１８（ａ）中の点線で示すように、連結解除レバー３１３が回動して回動軸３１４が回動する。そして、フック部３１５は、上向き原稿載置板３０３の凹部３１６内の引っ掛け部から外れて連結された状態が解除され、自動原稿搬送ユニット３００と上向き原稿載置板３０３とは互いに分離する。そして、自動原稿搬送ユニット３００のみが上方に開くと、図１９及び図２０に示すように、上向き原稿をセットする上向き原稿載置板３０３が現われ、上向き原稿の読取が可能となる。上向き原稿の読取は、上向き原稿載置板３０３の上面の原稿載置台１２６に、原稿の読取り面側を上向きにセットする。操作パネル１３０などの読取キーを押すと、上向き原稿読取ユニット１２０によって上向き原稿が撮像される。
【００５０】
下向き原稿の読取を行う場合は、使用者は、上向き原稿載置板３０３の手前側にある第１開閉取っ手３１１を掴んで自動原稿搬送ユニット３００と上向き原稿載置板３０３とを共に上方に開く。このとき、フック部３１５は、上向き原稿載置板３０３の凹部３１６内の引っ掛け部に係合されて自動原稿搬送ユニット３００と上向き原稿載置板３０３とが連結した状態である。自動原稿搬送ユニット３００と上向き原稿載置板３０３とは一体に軸回動する。そして、自動原稿搬送ユニット３００と上向き原稿載置板３０３とが上方に開くと、図２１に示すように、下向き原稿をセットするコンタクトガラス２１が現われ、下向き原稿の読取が可能となる。その下向き原稿の読取は、コンタクトガラス２１へ原稿の読取り面側を下向きにセットし、自動原稿搬送ユニット３００と上向き原稿載置板３０３を閉じ、操作パネル１３０などの読取キーを押すと、下向き原稿がスキャンされて読み取られる。
【００５１】
なお、上向き原稿載置板３０３、あるいは自動原稿搬送ユニット３００と上向き原稿載置板３０３とは、側面方向からみた開き角度が８０度〜９０度であって、その開いた状態を保てる。さらに、連結機構としては、連結解除レバー３１３のレバー操作による軸回動で連結と解除とを切り替える鍵爪状のフック部３１５とそれをうける凹部３１６とで構成したが、スイッチ操作による電流入力で連結と解除とを切り替える電磁石と鉄板などで構成してもよい。さらに、第１開閉取っ手３１１と第２開閉取っ手３１２とは、前面の開口を同一とした共通な凹部の中では、奥側に第１開閉取っ手３１１を配置し、手前側に第２開閉取っ手３１２を配置したが、左右に配置を変えてもよい。さらには、第１開閉取っ手３１１を配置する凹部と、第２開閉取っ手３１２を配置する凹部とを個別に設け、例えば各凹部を前面の左右に配置してもよい。
【００５２】
図２２は、自動原稿搬送ユニット３００と上向き原稿載置板３０３との構成を説明する部分断面図である。なお、図２２において、駆動モータや搬送ローラ等の搬送部は自動原稿搬送ユニット３００の内部に備わっているが省略している。また、図２２に示す自動原稿搬送ユニット３００は、原稿シートを搬送するときに同時に原稿シートの読み取り面を読み取る機構を備えているものであるがこれに限定するものではない。
図２２に示すように、原稿シートを搬送するための搬送路３２０が自動原稿搬送ユニット３００と上向き原稿載置板３０３とに形成されている。そして、原稿シートの読み取り面を上に向けて原稿セット部３０１にセットし、操作パネルの原稿読取の開始ボタンが押下されると、その原稿シートは搬送路３２０を矢印Ａ方向に搬送される。原稿シートは、開口部３２１、３２２、３２３の順で通過し、Ｕターンの後半部分で開口部３２４と開口部３２５、３２６とを通過して搬送される。そして、上向き原稿載置板３０３の開口部３２３と開口部３２４との間で原稿シートが露出したときに、原稿シートの読み取り面は、図２１に示す原稿読取センサ３３０によりラインスキャナされる。なお、原稿シートの裏面も同時に読み取る場合には、原稿シートのおもて面を読み取った後に自動原稿搬送ユニット３００の内部に戻ってきたときに原稿読取センサ３３１によりラインスキャンされる。そして、読み取り面又は両面が読み取られた原稿シートは排紙トレイ３０２へ排出される。そして、読み取った画像データは、配線部によって画像形成部の露光装置に供給され、その画像データに基づいて画像形成部によって可視像を形成する。その可視像を給紙部によって給紙された用紙上に転写しかつ定着し、定着後の用紙は排紙部に排紙される。以上の一連のように原稿読取動作及び画像形成動作を行い、原稿の複写が行われる。
【００５３】
（変形例）
次に、上記実施形態の一変形例について説明する。
図２３は、変形例の原稿押え圧板を閉じた状態の全体斜視図である。
図２３に示すように、変形例では、支柱部１２１の前面に表示部たるモニタ（画面）１３４を設けている。そのモニタ１３４に上向き原稿読取ユニット１２０のカメラで撮影する画像をリアルタイムで表示すれば、原稿を上向きでセットするとき、撮影範囲を外れていることや原稿が傾いていることなどがわかり、容易に原稿の位置合わせを行うことができ、原稿読取での不具合を事前に防ぐことができる。さらに、上向き原稿のセット基準が原稿位置合わせ部１２７の中心なので、操作者の意識は自然にそこへ向いてしまう。そのため、モニタ１３４の位置は、できるだけそこに近づけることが、違和感なく操作できかつ疲労も少ないので、好ましい。モニタ１３４の配置位置としては、支柱部１２１の前面と撮像部１２５の前面であるが、原稿位置合わせ部１２７の中心に近いのは支柱部１２１の前面であり、撮像部１２５の前面よりも見やすい。なお、支柱部１２１の前面の上部と下部では、原稿位置合わせ部１２７の中心により近い下部の方が見やすいので、図２３に示す位置にモニタ１３４を配置した。さらに、モニタ１３４は、その画面が操作者の目線に対し正対するように、垂直でなく上方へ角度をつけるように設けることが好ましい。なお、その角度は複合機の上面からの支柱部１２１の高さや支柱部１２１の複合機前方に延びている部分の長さ、操作者の目線の高さ等に基づき設定される。例えば、１０度程度が適切である。
【００５４】
また、支柱部１２１は、上端側を傾斜させていることで、撮像部１２５の前方突出が減るような上端屈曲部１３５にしてもよい。図１、図４、図６、図８及び図１１のように、支柱部１２１を垂直方向から直角に１回曲げて水平で前方に支柱部１２１を延ばして先端に撮像部１２５を固定する構成に比べて次の点で望ましい。つまり、例えば、図２３のように、支柱部１２１の上端屈曲部１３５を鈍角で２回曲げて先端に撮像部１２５を固定する構成の方が、支柱部の長さの削減が可能なので、画像ブレの要因となる撮像部１２５の前方への突出を減らしたり、撮像部１２５を固定する部分を軽くしたりすることができる。カメラカバー部１２５ｂは、複合機１００の前方からみて、前面１２５ｃや左右面１２５ｄを傾斜させてもよい。さらに、図１、図４、図６、図８及び図１１のように、カメラカバー部１２５ｂの上面を水平な平面にするよりも、例えば、図２３のように、カメラカバー部１２５ｂの上面１２５ｅを凸状に湾曲させたり、前後左右を下広がりに傾斜させたりする。それにより、カメラカバー部１２５ｂに物を置くのを抑止することができ、画像ブレの要因となる支柱部１２１の揺れや歪みを減らすことができる。
【００５５】
以上に説明したものは一例であり、次の態様毎に特有の効果を奏する。
（態様Ａ）
読取媒体を載置するコンタクトガラス２１等の載置台と、該載置台に載置された前記読取媒体を、該載置台を透過して下方から光学的に読み取る下向き原稿読取ユニット２０等の読取部と、前記載置台に載置された前記読取媒体を前記載置台上に押える回動可能な原稿押え圧板２２等の押え部材と、該押え部材を閉じた状態の該押え部材の上面に載置された前記読取媒体を上方から撮像する撮像部１２５と、該撮像部を固定する支柱部１２１とを備える画像読取装置において、前記支柱部は、画像読取装置本体の上面であって、前記押え部材とは異なる箇所に設けられていることを特徴とするものである。
本態様によれば、支柱部は、画像読取装置本体の上面であって、押え部材とは異なる箇所に設けられる。そのため、押え部材と支柱部とが一体的に設けられ押え部材が回動すると支柱部も一緒に動く従来の構成に対し、本態様では押え部材が回動しても支柱部は回動しない。それにより、回動する押え部材に伴って支柱部が回動することで画像読取装置本体から突出するような事象はなくなる。よって、画像読取装置本体の設置スペースの拡大を抑制することができる。
【００５６】
（態様Ｂ）
装置本体と、前記装置本体に設けられ、読取媒体を載置するコンタクトガラス２１等の第一の載置台と、前記第一の載置台に載置された前記読取媒体を光学的に読み取る下向き原稿読取ユニット２０等の読取部と、前記第一の載置台の上に設置され、該第一の載置台に対して回動可能であり、前記読取媒体を載置する原稿載置台１２６等の第二の載置台が形成された載置板３０３と、前記読取媒体を載置する原稿セット部３０１等の第三の載置台と、該第三の載置台に載置された前記読取媒体を前記読取部へ搬送する搬送部と、該搬送部から排出された前記読取媒体を載置する排紙トレイ３０２等の排出台とを有する自動原稿搬送ユニット３００等の搬送ユニットと、前記第二の載置台に載置された前記読取媒体を上方から撮像する撮像部１２５と、該撮像部を固定する支柱部１２１とを備え、前記搬送ユニットは、前記載置板の上に設置され、該載置板に対して回動可能であり、前記支柱部は、前記装置本体の上面であって、前記載置板及び前記搬送ユニットとは異なる箇所に設けられていることを特徴とするものである。
上記特許文献１に開示の画像読取装置では、読取媒体たる原稿を上方から押え、かつ軸回動可能な押え部材たる原稿押えカバーの奥側に、撮像部の備わった支柱部が根元部分から上方へ延びて設けられている。その手前側に延びている部分に撮像部が設けられている。そして、原稿を下向きにして読み取る場合、原稿押えカバーを上方に開くように軸回動させると、支柱部の根元部分から上方へ延びている部分が画像読取装置本体の後方へ突出する。そのため、その突出するスペースを確保する必要があり、画像読取装置本体の設置スペースが拡大しまう。さらに、軸回動可能な原稿搬送部を原稿押えカバーの上方に設け、その原稿搬送部に支柱部を設けると、原稿を下向きにして読み取る場合、原稿搬送部を上方に開くよう軸回動させ、その後原稿押えカバーを上方に開くよう軸回動させることになる。この場合も、支柱部の根元部分から上方へ延びている部分が画像読取装置本体の後方へ突出し、画像読取装置本体の設置スペースが拡大しまう。
本態様によれば、原稿搬送部と支柱部とが一体的に設けられ原稿搬送部が軸回動すると支柱部も一緒に軸回動する従来の構成に対し、本態様では読取媒体を下方から読み取るときに搬送ユニットや載置台を上方へ開くように軸回動しても、支柱部は軸回動しない。それにより、軸回動する原稿搬送部に伴って支柱部が軸回動することで画像読取装置本体から突出するような事象はなくなる。よって、画像読取装置本体の設置スペースの拡大を抑制することができる。
【００５７】
（態様Ｃ）
（態様Ａ）において、前記支柱部は、前記画像読取装置本体の奥側に設けられた前記押え部材の開閉のためのヒンジ部１２３等の軸回動部よりも前記画像読取装置本体の手前側に設けられていることを特徴とするものである。
本態様によれば、押え部材の開閉のための軸回動部よりも画像読取装置本体後方の部分に支柱部を設置するスペースが不要になり、画像読取装置本体を小型化できる。よって、画像読取装置本体の設置スペースの拡大を抑制できる。
【００５８】
（態様Ｄ）
（態様Ａ）〜（態様Ｃ）において、前記支柱部は、前記画像読取装置本体の垂直投影部分内におさまるよう設けられていることを特徴とするものである。
本態様によれば、押え部材と干渉しないように画像読取装置本体の上面へ固定可能であるので、画像読取装置本体の設置スペース拡大を抑制できる。
【００５９】
（態様Ｅ）
（態様Ａ）〜（態様Ｅ）において、前記支柱部は、前記撮像部と電気的に接続されたモニタ１３４等の表示部を備えることを特徴とするものである。
本態様によれば、原稿を上向きでセットするとき、撮影範囲を外れていることや原稿が傾いていることがわかる。それにより、容易に原稿の位置合わせを行うことができ、原稿読取での不具合を事前に防ぐことができる。
【００６０】
（態様Ｆ）
（態様Ｅ）において、前記表示部は、前記支柱部の前面であって、前記撮像部が固定された上端側に対して反対側の下端側に設けられていることを特徴とするものである。
本態様によれば、表示部の画面を原稿の位置を合わせる部分の中心により近い下部にすることで表示部の画面を見やすくすることができる。
【００６１】
（態様Ｇ）
（態様Ｅ）又は（態様Ｆ）において、前記表示部の画面は、該画面の正面上方側に向くように傾斜していることを特徴とするものである。
本態様によれば、表示部の画面を操作者の目線に対し正対することで、表示部の画面を見やすくすることができる。
【００６２】
（態様Ｈ）
（態様Ａ）〜（態様Ｇ）において、前記支柱部の一部は、前記画像読取装置本体の手前方向に曲がっていることを特徴とするものである。
本態様によれば、画像ブレの要因となる支柱部の揺れや歪みを減らせる。
【００６３】
（態様Ｉ）
（態様Ａ）〜（態様Ｈ）において、前記支柱部の一部の上面は、水平面に対し傾斜していることを特徴とするものである。
本態様によれば、撮像部が固定されている支柱部に物を置くのを抑止することができ、上向き原稿を撮像する場合の画像ブレの要因となる支柱部の揺れや歪みを減らすことができる。よって、撮像部の揺れがおさまるまで撮像動作を開始できなかった従来の構成に比べて撮像動作をすみやかに行うことができ、操作性を高めることができる。
【００６４】
（態様Ｊ）
（態様Ａ）〜（態様Ｉ）において、前記押え部材は、当該押え部材の上面に載置された前記被撮像物の位置合わせを行う原稿位置合わせ部１２７等の位置合わせ部を備えていることを特徴とするものである。
本態様によれば、原稿の位置が撮影範囲を外れていることや原稿が傾いていることの目安となり、原稿読取での不具合を事前に防ぐことができる。
【００６５】
（態様Ｋ）
（態様Ｂ）において、前記搬送ユニットが前記載置板に対して連結するための連結機構を備えていることを特徴とするものである。
本態様によれば、下向き原稿読取ユニット、上向き原稿読取ユニットや自動原稿搬送ユニットを選択的に、画像形成装置本体の構成や機能は変えることなく、画像形成装置本体にオプションとして追加することができる。そして、ユーザのニーズに応じて、以下の機能と形態を選択的に変化させることができる。すなわち、原稿の押え部材による下向き原稿読取のみ、自動原稿搬送による下向き原稿読取のみ、原稿の押え部材による下向き原稿読取と上向き原稿読取、自動原稿搬送による下向き原稿読取と上向き原稿読取、を選択的に変化させることができる。
【００６６】
（態様Ｌ）
（態様Ｋ）において、前記搬送ユニットと前記載置板とが個別に開閉可能であることを特徴とするものである。
本態様によれば、搬送ユニットは比較的重く、その搬送ユニットを上方に開けた状態のまま、比較的軽い載置台だけを開閉させることで、ユーザに加わる負担を軽減することができる。
【００６７】
（態様Ｍ）
（態様Ｋ）又は（態様Ｌ）において、前記搬送ユニットと前記載置板の回動軸が同じであることを特徴とするものである。
本態様によれば、搬送ユニットと載置台の開閉に回動軸を個別に設ける構成に比べて部品点数やコストを削減することができる。さらには、回動軸が異なると、搬送ユニットと載置台とを個別にあるいは一体に開閉したときの互いの位置や係合位置を合わせるなどの位置調整が難しい。これに対し、回動軸が同じであれば、その回動軸を基準にして搬送ユニットと載置台のサイズ等を決めることで位置合わせ等の位置調整が容易に可能になる。
【００６８】
（態様Ｎ）
（態様Ｋ）〜（態様Ｍ）において、前記搬送ユニットと前記載置板の少なくとも一方を掴む第１開閉取っ手３１１等の取っ手を備えることを特徴とするものである。
本態様によれば、搬送ユニットと載置台の少なくともいずれか一方を開閉することができる。
【００６９】
（態様Ｏ）
（態様Ｋ）〜（態様Ｎ）において、前記連結機構による連結を解除する連結解除レバー３１３等の解除レバーが、前記取っ手を形成する凹部内に設けられていることを特徴とするものである。
本態様によれば、搬送ユニットと載置台とでも、分離した搬送ユニットだけでも上方に開けやすく、分離させた載置台を再び一体化させやすい。
【００７０】
（態様Ｐ）
読取媒体を載置する載置台と、該載置台に載置された前記読取媒体を、該載置台を透過して下方から光学的に読み取る読取部と、記録媒体に画像を形成する画像形成部と、前記載置台に載置された前記読取媒体を前記載置台上に押える回動可能な押え部材と、閉じた状態の該押え部材の上面に載置された前記読取媒体を上方から撮像する撮像部と、該撮像部を固定する支柱部とを備え画像形成装置において、前記支柱部は、画像形成装置本体の上面であって、前記押え部材とは異なる箇所に設けられていることを特徴とすものである。
本態様によれば、画像形成装置の設置スペース拡大を抑制することができる。
【００７１】
（態様Ｑ）
装置本体と、前記装置本体に設けられ、読取媒体を載置する第一の載置台と、前記第一の載置台に載置された前記読取媒体を光学的に読み取る読取部と、前記第一の載置台の上に設置され、該第一の載置台に対して回動可能であり、前記読取媒体を載置する第二の載置台が形成された載置板と、前記読取媒体を載置する第三の載置台と、該第三の載置台に載置された前記読取媒体を前記読取部へ搬送する搬送部と、該搬送部から排出された前記読取媒体を載置する排出台とを有する搬送ユニットと、前記第二の載置台に載置された前記読取媒体を上方から撮像する撮像部と、該撮像部を固定する支柱部と、記録媒体に画像を形成する画像形成部とを備え、前記搬送ユニットは、前記載置板の上に設置され、該載置板に対して回動可能であり、前記支柱部は、前記装置本体の上面であって、前記載置板及び前記搬送ユニットとは異なる箇所に設けられていることを特徴とするものである。
本態様によれば、画像形成装置の設置スペース拡大を抑制することができる。
【符号の説明】
【００７２】
１  装置本体
１０  画像形成ユニット
１１  像担持体
１２  帯電装置
１３  現像装置
１４  クリーニング装置
１５  潤滑剤塗布装置
１６  露光装置
２０  下向き原稿読取ユニット
２１  コンタクトガラス
２２  原稿押え圧板
２３  第一走行体
２４  第二走行体
２５  結像レンズ
２６  読取センサ
３０  転写ユニット
３１  中間転写ベルト
４０  ２次転写装置
５０  定着ユニット
６０  搬送ベルト
７０  給紙ユニット
８０  両面ユニット
９０  排紙ユニット
１００  複合機
１２０  上向き原稿読取ユニット
１２１  支柱部
１２２  締結部
１２２ａ  取付け板
１２２ｂ  ネジ
１２３  ヒンジ部
１２４  配線部
１２５  撮像部
１２５ａ  カメラ
１２５ｂ  カメラカバー部
１２６  原稿載置台
１２７  原稿位置合わせ部
１２８  ケーブル挿入部
１２９  接続プラグ
１３０  操作パネル
１３１  プラグ挿入部
１３２  接続プラグ
１３３  カメラ制御基板
１３４  モニタ
１３５  上端屈曲部
１３６  切欠き溝
１４０  締結部
１４０ａ  ネジ
１４０ｂ  取付け板
１４１  被締結部
２００  画像読取装置
３００  自動原稿搬送ユニット
３０１  原稿セット部
３０２  排紙トレイ
３０３  上向き原稿載置板
３１０  開閉モジュール
３１１  第１開閉取っ手
３１２  第２開閉取っ手
３１３  連結解除レバー
３１４  回動軸
３１５  フック部
３１６  凹部
３２０  搬送路
３２１  開口部
３２２  開口部
３２３  開口部
３２４  開口部
３２５  開口部
３２６  開口部
３３０  原稿読取センサ
３３１  原稿読取センサ
【先行技術文献】
【特許文献】
【００７３】
【特許文献１】特開２００７−１０４３３９号公報
【図１】
2017175594.tif 000003
【図２】
2017175594.tif 000004
【図３】
2017175594.tif 000005
【図４】
2017175594.tif 000006
【図５】
2017175594.tif 000007
【図６】
2017175594.tif 000008
【図７】
2017175594.tif 000009
【図８】
2017175594.tif 000010
【図９】
2017175594.tif 000011
【図１０】
2017175594.tif 000012
【図１１】
2017175594.tif 000013
【図１２】
2017175594.tif 000014
【図１３】
2017175594.tif 000015
【図１４】
2017175594.tif 000016
【図１５】
2017175594.tif 000017
【図１６】
2017175594.tif 000018
【図１７】
2017175594.tif 000019
【図１８】
2017175594.tif 000020
【図１９】
2017175594.tif 000021
【図２０】
2017175594.tif 000022
【図２１】
2017175594.tif 000023
【図２２】
2017175594.tif 000024
【図２３】
2017175594.tif 000025